(57)【特許請求の範囲】
【請求項１】
天面板に操作パネルと複数の投入口を有するシュレッダーにおいて、紙投入口をシュレッダー正面と並行する方向に、また、記憶媒体投入口をシュレッダー正面と直交する方向に、Ｌ字型に配置し、上記紙投入口の直下に紙用回転刃を設け、上記記憶媒体投入口の直下に記憶媒体用回転刃を設けたことを特徴とするシュレッダー。
【請求項２】
上記操作パネルに、細断対象を選択するセレクトボタンと紙表示灯とメディア表示灯を設け、セレクトボタンの選択に応じていずれか一方の表示灯が点灯するようにした請求項１記載のシュレッダー。
【請求項３】
制御装置を介して、上記セレクトボタンで紙が選択された場合には上記紙表示灯を点灯させると共に、上記紙投入口の直下に設けられた紙用回転刃のみ作動可能とし、記憶媒体が選択された場合には上記メディア表示灯を点灯させると共に、上記記憶媒体投入口の直下に設けられた記憶媒体用回転刃のみが作動可能とし、さらに、上記紙投入口に設けた紙センサがオン状態で上記記憶媒体投入口に設けたメディアセンサがオフ状態の時のみ上記紙用回転刃を駆動回転して紙を細断し、上記紙センサがオフ状態で上記メディアセンサがオン状態の時のみ上記記憶媒体用回転刃を回転駆動して記憶媒体を細断するようにした請求項１又は請求項２に記載のシュレッダー。
【請求項４】
上記紙投入口の紙案内通路に臨んで、ソレノイドによりシャッター板を上記紙案内通路内に出し入れするようにしたシャッター機構を設けると共に、上記記憶媒体投入口に並行して設けたＣＤ等案内通路とカード案内通路に臨んで、ソレノイドにより係止棒を上記両案内通路に出し入れするようにしたシャッター機構を設けたことを特徴とする請求項１から請求項３のいずれか１項に記載のシュレッダー。
【請求項５】
制御装置を介して、上記セレクトボタンで紙が選択された場合には上記記憶媒体投入口に設けたシャッター機構を作動させて上記ＣＤ等案内通路とカード案内通路を閉止し、記憶媒体が選択された場合には上記紙投入口に設けたシャッター機構を作動させて上記紙投入口の紙案内通路を閉止するようにした請求項４記載のシュレッダー。
【請求項６】
上記紙投入口に設けるシャッター機構は、紙案内板の裏側中央に取り付けたソレノイドの駆動軸の先端に上記紙投入口の長さとほぼ同じ長さで紙案内通路側に等間隔に係止爪を列設したシャッター板を取り付けて前後動可能とすると共に、シャッター板の左右にバネを介して支持板を取り付けてシャッター板全体が紙案内通路と直交する方向に前後動するようにし、紙案内通路の一側には上記シャッター板の係止爪と対応する位置に透孔を設けて係止爪が透孔を通って紙案内通路内に出し入れできるようになったものである請求項４又は請求項５に記載のシュレッダー。
【請求項７】
上記記憶媒体投入口に設けるシャッター機構は、基盤の下面に取り付けたソレノイドの駆動軸の先端にバネを介して係止棒を取り付けて前後動可能とし、ＣＤ等案内通路とカード案内通路の側面には連通する透孔を設けて係止棒が透孔を通って上記両案内通路内に出し入れできるようになったものである請求項４又は請求項５に記載のシュレッダー。
【請求項８】
上記紙用回転刃の直下に紙用屑受箱を、上記記憶媒体用回転刃の直下に記憶媒体用屑受箱を、互いに隣り合わせて収納した請求項１記載のシュレッダー。
【発明の詳細な説明】
【技術分野】
【０００１】
この発明は、紙用とＣＤ・ＦＤ等の記憶媒体（本明細書でメディアと称する場合もある）用の複数の投入口を有するシュレッダーに関し、投入口の配置を変更すると共に、各投入口にシャッター機能を付加したシュレッダーに関するものである。
【背景技術】
【０００２】
従来から機密文書等の重要書類を確実に廃棄するため、シュレッダーが用いられてきたが、情報の電子化や各種記憶媒体の発達に伴い、各種の情報はＣＤやＦＤ等の記憶媒体に記録されるようになり、これらの媒体の破砕機能を有するシュレッダーが提案されている。さらに、環境保護や資源の有効活用の観点から、細断屑、破砕屑は分別して回収することが要求される。例えば、特許文献１に記載の両用シュレッダーは、紙フィード口とＣＤフィード口が設けられ、何れも粉砕回転カッタ輪軸で粉砕されるとともに、自動ゲート板によって粉砕屑の分別を行うようになっている。
【０００３】
しかし、上記特許文献１のシュレッダーでは、紙とＣＤを同一のカッタ輪軸で破砕することから、カッタ刃の寿命が短くなる問題がある。そこで、特許文献２に記載の裁断機では、２つの刃具セットを直列させ、個別の投入口を設けて別々に細断するようにしたものが提案されている。
【０００４】
【特許文献１】実用新案登録第３０９６４４９号公報
【特許文献２】実用新案登録第３１１２７９０号公報
【発明の開示】
【発明が解決しようとする課題】
【０００５】
しかしながら、特許文献１のものはともかく、特許文献２のような構成のものは、紙とＣＤ等とを同時に細断破砕することが可能であるので、刃具の駆動モーターに過度の負担をかけ、故障の原因となりやすい。また、複数の投入口を有するものでは、投入口が平行に設けられたものもあるが、この場合、投入口を誤認するおそれがあった。
【０００６】
一方、投入口を手前と奥に平行に並べると、細断刃も前後に並ぶことになるので、それぞれの細断屑の屑受箱の位置も前後に並べることになる。その場合、奥の屑受箱がいっぱいになると、奥の屑受箱を取り出す際に前の屑受箱も取り出さなければならなくなり、細断屑の回収・廃棄の際に手間を要するものとなっていた。
【０００７】
かかる実情に鑑み、本発明では、投入口の配置を見直し、結果的に屑受箱の取り出しを簡便なものとすると共に、投入前に紙か記憶媒体（メディア）かを選択させて一方の回転刃のみが駆動するようにし、さらに、各投入口にシャッターを設けて、余分なものを巻き込まないようにしたシュレッダーを提案するものである。
【課題を解決するための手段】
【０００８】
上述した課題を解決するため、請求項１に記載した発明は、天面板に操作パネルと複数の投入口を有するシュレッダーにおいて、紙投入口をシュレッダー正面と並行する方向に、また、記憶媒体投入口をシュレッダー正面と直交する方向に、Ｌ字型に配置し、上記紙投入口の直下に紙用回転刃を設け、上記記憶媒体投入口の直下に記憶媒体用回転刃を設けるという手段を採用した。
【０００９】
また、請求項２に記載した発明は、請求項１に記載したシュレッダーにおいて、上記操作パネルに、細断対象を選択するセレクトボタンと紙表示灯とメディア表示灯を設け、セレクトボタンの選択に応じていずれか一方の表示灯が点灯するようにするという手段を採用した。
【００１０】
さらに、請求項３に記載した発明は、上記請求項１又は請求項２に記載したシュレッダーにおいて、制御装置を介して、上記セレクトボタンで紙が選択された場合には上記紙表示灯を点灯させると共に、上記紙投入口の直下に設けられた紙用回転刃のみ作動可能とし、記憶媒体が選択された場合には上記メディア表示灯を点灯させると共に、上記記憶媒体投入口の直下に設けられた記憶媒体用回転刃のみが作動可能とし、さらに、上記紙投入口に設けた紙センサがオン状態で上記記憶媒体投入口に設けたメディアセンサがオフ状態の時のみ上記紙用回転刃を駆動回転して紙を細断し、上記紙センサがオフ状態で上記メディアセンサがオン状態の時のみ上記記憶媒体用回転刃を回転駆動して記憶媒体を細断するようにするという手段を採用した。
【００１１】
そして、請求項４に記載した発明は、請求項１から請求項３のいずれか１項に記載のシュレッダーにおいて、上記紙投入口の紙案内通路に臨んで、ソレノイドによりシャッター板を上記紙案内通路内に出し入れするようにしたシャッター機構を設けると共に、上記記憶媒体投入口に並行して設けたＣＤ等案内通路とカード案内通路に臨んで、ソレノイドにより係止棒を上記両案内通路に出し入れするようにしたシャッター機構を設けるという手段を採用した。
【００１２】
また、請求項５に記載した発明は、請求項４に記載したシュレッダーにおいて、制御装置を介して、上記セレクトボタンで紙が選択された場合には上記記憶媒体投入口に設けたシャッター機構を作動させて上記ＣＤ等案内通路とカード案内通路を閉止し、記憶媒体が選択された場合には上記紙投入口に設けたシャッター機構を作動させて上記紙投入口の紙案内通路を閉止するようにするという手段を採用した。
【００１３】
そして、請求項６に記載した発明は、請求項４又は請求項５に記載したシュレッダーにおいて、上記紙投入口に設けるシャッター機構は、紙案内板の裏側中央に取り付けたソレノイドの駆動軸の先端に上記紙投入口の長さとほぼ同じ長さで紙案内通路側に等間隔に係止爪を列設したシャッター板を取り付けて前後動可能とすると共に、シャッター板の左右にバネを介して支持板を取り付けてシャッター板全体が紙案内通路と直交する方向に前後動するようにし、紙案内通路の一側には上記シャッター板の係止爪と対応する位置に透孔を設けて係止爪が透孔を通って紙案内通路内に出し入れできるようになったものであるという手段を採用した。
【００１４】
また、請求項７に記載した発明は、請求項４又は請求項５に記載したシュレッダーにおいて、上記記憶媒体投入口に設けるシャッター機構は、基盤の下面に取り付けたソレノイドの駆動軸の先端にバネを介して係止棒を取り付けて前後動可能とし、ＣＤ等案内通路とカード案内通路の側面には連通する透孔を設けて係止棒が透孔を通って上記両案内通路内に出し入れできるようになったものであるという手段を採用した。
【００１５】
さらに、請求項８に記載した発明は、請求項１に記載のシュレッダーにおいて、上記紙用回転刃の直下に紙用屑受箱を、上記記憶媒体用回転刃の直下に記憶媒体用屑受箱を、互いに隣り合わせて収納するという手段を採用した。
【発明の効果】
【００１６】
上記請求項１に記載した発明は、紙投入口と記憶媒体投入口をＬ字型に配置したものであるから、使用者はそれぞれの投入口の位置や大きさを強く認識し、その位置関係によって、被細断物を正しい投入口に投入するようになり、投入口の誤認を未然に防止できるようになった。
【００１７】
また、請求項２に記載した発明は、セレクトボタンの選択により紙表示灯かメディア表示灯のいずれかを点灯するようにしたので、点灯している表示灯によって投入すべき被細断物を改めて確認し、投入の誤認を防止できるものである。
【００１８】
さらに、請求項３に記載した発明は、セレクトボタンにより紙か記憶媒体を選択すると、それに対応する投入口に被細断物が投入された時にのみ細断が開始され、他の投入口に被細断物を投入しても作動しないようにしているので、２つの回転刃が同時に回転駆動することがなく、回転刃に過度の負担がかかることがない。そのため故障の発生を低減できるという利点がある。
【００１９】
そして、請求項４に記載した発明は、紙投入口及び記憶媒体投入口のそれぞれにシャッター機構を設けているので、シャッターが作動中は異物が入り込まないという効果が期待できるものである。
【００２０】
また、請求項５に記載した発明は、セレクトボタンの選択と連動して、片方の回転刃が駆動している時は他方の投入口のシャッター機構が作動して投入口を閉止するので、誤作動が生じた場合にも、フェイルセーフとして投入口に異物が確実に入り込まないようにすることができる。
【００２１】
そして、請求項６及び請求項７に記載した発明は、各投入口におけるシャッター機構の具体的構成の一例を特定するものである。
【００２２】
さらに、請求項８に記載した発明は、Ｌ字型に配置した各投入口及び回転刃の直下にそれぞれの屑受箱を隣り合わせに収納しているので、従来のように前後に並べた場合、奥方の屑受箱を取り出す時に先に前側の屑受箱を取り出すといった手間を省略でき、どちらの屑受箱も個別に、容易に取り出すことができるようになった。
【発明を実施するための最良の形態】
【００２３】
以下、本発明に係るシュレッダーの好ましい実施形態を添付した図面に従って詳細に説明する。図１はシュレッダーの全体斜視図で、図において、１は各種機構を内蔵するシュレッダー本体、２は天面板、３は前開きの扉である。この天面板２において、４は紙投入口、５は記憶媒体投入口であって、紙投入口４は正面と並行する方向に、記憶媒体投入口５は正面に対して直交する方向にして、Ｌ字型に配置したものである。また、６は各種の操作を行う操作パネルである。なお、本明細書で記憶媒体とは、ＣＤ、ＦＤ、ＭＯ等のように電子情報を合成樹脂板に磁気的、光学的方法などによって記憶する媒体全般をいい、磁気カードやＩＣカードなども含む広い概念である。またこれらをメディアと称する場合もある。
【００２４】
図２は上記操作パネル６の拡大平面図であって、細断対象を選択するセレクトボタン６ａ、その選択に応じて点灯又は点滅する紙表示灯６ｂおよびメディア表示灯６ｃ、細断を開始するためのスタートボタン６ｄ、細断を停止するためのストップボタン６ｅ、紙詰り時に紙を排出するための逆転ボタン６ｆなどがあり、そのほか、細断屑の満杯や紙詰り等機器の状態を示す各種表示灯６ｇ・・・が適宜配置されている。
【００２５】
図３は内部機構の一部を透過して示すシュレッダーの正面図である。図において、７は紙用回転刃であって、上記紙投入口４の直下に設けられたものであり、８は記憶媒体用回転刃で、上記記憶媒体投入口５の直下に設けられたものであり、これらもＬ字型に配置されている。これらの各回転刃７、８の具体的駆動手段については、従来公知のものを採用できるので説明を省略する。９は紙用屑受箱で、上記紙用回転刃７の直下に設けて書類等の細断屑を収容するものである。また、１０は記憶媒体用屑受箱で、上記記憶媒体用回転刃８の直下に設けてカードやＣＤ、ＦＤ等の細断屑を収容するものである。これらの屑受箱９、１０は、図４に示すように、前面の扉を開けて隣り合わせに収納する。
【００２６】
このシュレッダーは、紙投入口と記憶媒体投入口をＬ字型に配置しているので、使用者は投入口の位置や大きさを強く意識し、その位置関係により、被細断物を誤った投入口に投入することを未然に防止できる。また、事前にセレクトボタン６ａで対象を選択し、表示灯６ｂ、６ｃのいずれかが点灯するので、誤認が生じにくい。
【００２７】
さらに、比較的幅広の対象である紙の細断を正面横方向の紙用回転刃で、小さな対象である記憶媒体の細断を縦方向の記憶媒体用回転刃で行うようにしているので、細断屑の屑受箱を図４に示すように隣り合わせに収納することが可能になった。そのため、従来のように前後に並べた場合、奥方の屑受箱を取り出す時に先に前側の屑受箱を取り出すといった手間を省略でき、どちらの屑受箱も個別に、容易に取り出すことができ便利である。
【００２８】
次に、上記シュレッダーの基本的動作について、図５に示すフローチャートに従って説明する。先ず、シュレッダーは主電源が入れられ、動作入力待ちの状態とする。また、シュレッダー内には適宜な制御装置が設けられ、下述するセレクトボタンの操作及び各投入口に設けられたセンサの信号により、各回転刃の回転駆動や後で説明するシャッター等の動作を制御しているものとする。
【００２９】
初めに、使用者はセレクトボタン６ａを押して紙を細断するのか記憶媒体（メディア）を細断するのかを選択する。この時、選択状態により紙表示灯６ｂ又はメディア表示灯６ｃのいずれかが点灯する。このため対象の誤認が生じにくい。紙の細断を選択した場合、紙表示灯６ｂが点灯する。使用者はこれを見て書類等を紙投入口４から投入すると、紙投入口４に設けられている紙センサがオン状態となる。この時、記憶媒体投入口５に何かが投入されると記憶媒体投入口５に設けられているメディアセンサもオン状態となり、両方を駆動することはできないので、細断を中止してエラー処理を行う。メディアセンサがオフ状態であれば紙用回転刃７が駆動回転し、書類の細断が開始される。細断が終われば待ち状態に復帰する。同様に、記憶媒体（メディア）の細断を選択した場合、メディア表示灯６ｃが点灯する。使用者がこれを見てＣＤ等の記憶媒体を記憶媒体投入口５から投入すると、メディアセンサがオン状態となる。この時、紙投入口４に何かが投入されると紙センサもオン状態となり、細断を中止してエラー処理を行う。紙センサがオフ状態であれば記憶媒体用回転刃８が駆動回転し、記憶媒体の細断が行われる。細断が終われば、再び待ち状態に復帰する。
【００３０】
即ち、セレクトボタン６ａにより細断対象として紙か記憶媒体を選択すると、それに対応した投入口に対象が投入された時のみ細断が開始され、他の投入口に対象を投入しても作動しないようにしているのである。これにより、２つの回転刃が同時に回転駆動することはなく、回転刃に過度の負担がかかることが無いので、故障の発生を低減できる。
【００３１】
続いて、図６〜８は紙投入口に設けるシャッター機構について、図９〜１１は記憶媒体投入口に設けるシャッター機構についての説明図である。上述の通り、本シュレッダーではセレクトボタン６ａによる選択で一方の回転刃のみが駆動する構造であるので、一方が作動している時に他方の回転刃に異物が巻き込まれる可能性は極めて少ない。しかしながら、万一の誤作動を考慮すれば、所謂フェイル・セーフとして各投入口にシャッターを設けてこれを閉止し、異物が確実に入り込まないようにすることが好ましいと言える。
【００３２】
図６〜８において、１１は紙投入口４における漏斗状の紙案内板で先端は紙類を紙用回転刃７に案内する紙案内通路１２を構成している。１３は上記紙案内通路１２に臨んで設けるシャッター機構で、ソレノイド１４によってシャッター板１５を上記紙案内通路１２内に出し入れするようにしたものである。その具体的構成例を図７について説明すると、紙案内板１１の裏側に取付可能な基盤１６の中央にソレノイド１４を取り付け、その駆動軸１４ａの先端に上記紙投入口４の長さとほぼ同じ長さで上記紙案内通路１２側に等間隔に係止爪１５ａを列設したシャッター板１５を取り付けて前後動可能としている。シャッター板１５の他側の上記ソレノイド１４の左右はバネ１７を介して支持板１８に取り付け、シャッター板１５全体が上記紙案内通路１２に対して直交する方向に前後動するようにしている。また、紙案内通路１２の一側には、上記シャッター板１５の係止爪１５ａと対応する位置に透孔１２ａを設け、上記係止爪１５ａがこの透孔１２ａを通って紙案内通路１２内に出し入れするようになっている。図８（Ａ）はソレノイド１４が伸張して係止爪１５ａが紙案内通路１２内に入って紙案内通路１２を閉止した状態を示し、同図（Ｂ）はソレノイド１４が短縮して係止爪１５ａが戻り、紙案内通路１２を開放した状態を示している。
【００３３】
次に、図９〜１１において、２１はＣＤ等案内通路、２２はカード案内通路で上記記憶媒体投入口５に互いに並行して設けたもので、ＣＤやカードを記憶媒体用回転刃８に案内するものである。２３は上記２つの案内通路２１、２２に臨んで設けるシャッター機構で、ソレノイド２４によって係止棒２５を上記２つの案内通路２１、２２内に出し入れするようにしたものである。その具体的構成例を図１０について説明すると、基盤２６の下面にソレノイド２４を取り付け、その駆動軸２４ａの先端にバネ２７を介して係止棒２５を取り付けて前後動可能としている。ＣＤ等案内通路２１、カード案内通路２２の側面には連通する透孔２８を上記係止棒２５と対応する位置に設け、上記係止棒２５がこの透孔２７を通って２つの案内通路２１、２２内に出し入れするようになっている。図１１（Ａ）はソレノイド２４が伸張して係止棒２５が案内通路２１、２２内に入って案内通路２１、２２を閉止した状態を示し、同図（Ｂ）はソレノイド２４が短縮して係止棒２５が戻り、案内通路２１、２２を開放した状態を示している。
【００３４】
なお、上述したシャッター機構１３、２３は、上記実施形態に限定するものではなく、それぞれの案内通路内に紙やＣＤ等の媒体を係止する作用を有する板状ないし棒状の係止片が必要に応じて出入りするようにしたものであればよい。
【００３５】
また、上記カード案内通路２２は、図１０、１２に示すように、記憶媒体用回転刃８に対してカードが斜め方向に投入されるように、所定の傾斜角を持って設けられている。これは、一般にカード面にはカード方向と並行して情報が記録されているので、カードを斜めに細断することで、情報領域も斜めに細断して、情報の確実な破砕を行うためである。
【００３６】
これらのシャッター機構１３、２３は、上述した制御装置によって、各回転刃７、８の駆動と連動して作動し、各案内通路１２、２１、２２を閉止又は開放するものである。即ち、上述したように、上記各回転刃７、８は、セレクトボタン６ａの選択で一方の回転刃のみ駆動するようにした構造であるが、この場合、駆動を停止している方の回転刃に通じる案内通路をシャッター機構によって閉止するものである。これにより、例えば書類を細断する場合、紙投入口４の案内通路１２は開放され、書類を投入して細断可能であり、他方の記憶媒体投入口５では、記憶媒体用回転刃８が駆動しないと同時に、シャッター機構２３が作動して記憶媒体投入口５を閉止して、各種記憶媒体や異物が投入されることを完全に阻止することができる。
【図面の簡単な説明】
【００３７】
【図１】本発明に係るシュレッダーの全体斜視図である。
【図２】操作パネルの拡大平面図である。
【図３】シュレッダーの内部機構の一部を透過して示す正面図である。
【図４】屑受箱の収納態様を示す斜視図である。
【図５】シュレッダーの基本的動作を説明するフローチャートである。
【図６】紙投入口のシャッター機構を説明する側面断面図である。
【図７】紙投入口のシャッター機構の分解斜視図である。
【図８】紙投入口のシャッター機構の開閉状態の説明図である。
【図９】記憶媒体投入口のシャッター機構を説明する側面断面図である。
【図１０】記憶媒体投入口のシャッター機構の斜視図である。
【図１１】記憶媒体投入口のシャッター機構の開閉状体の説明図である。
【図１２】カード案内通路の態様の説明図である。
【符号の説明】
【００３８】
１    シュレッダー本体
２    天面板
３    扉
４    紙投入口
５    記憶媒体投入口
６    操作パネル
６ａ  セレクトボタン
６ｂ  紙表示灯
６ｃ  メディア表示灯
７    紙用回転刃
８    記憶媒体用回転刃
９    紙用屑受箱
１０    記憶媒体用屑受箱
１１    紙案内板
１２    紙案内通路
１２ａ  透孔
１３    シャッター機構
１４    ソレノイド
１４ａ  駆動軸
１５    シャッター板
１５ａ  係止爪
１６    基盤
１７    バネ
１８    支持板
２１    ＣＤ等案内通路
２２    カード案内通路
２３    シャッター機構
２４    ソレノイド
２４ａ  駆動軸
２５    係止棒
２６    基盤
２７    バネ
２８    透孔
【図１】
0004825483.tif 000002
【図２】
0004825483.tif 000003
【図３】
0004825483.tif 000004
【図４】
0004825483.tif 000005
【図５】
0004825483.tif 000006
【図６】
0004825483.tif 000007
【図７】
0004825483.tif 000008
【図８】
0004825483.tif 000009
【図９】
0004825483.tif 000010
【図１０】
0004825483.tif 000011
【図１１】
0004825483.tif 000012
【図１２】
0004825483.tif 000013